(57)【要約】【課題】  大量の排水を一気に流し込んだ際にも不快音の発生を防止できると共に、ゴミの付着等の悪条件下でも排水部と封止筒の内部との封水機能を維持できる排水トラップを提供する。【解決手段】  一端部の開口６ａが封止筒３の内部に位置すると共に他端部の開口６ｂが封止筒３の外部で且つトラップ封水形成部２よりも上方位置に位置する排気路６を設ける。排気路６の一端部と他端部との間に排気路封水Ｂが形成される排気路封水形成部７を設ける。【選択図】図１
2008156949.tif 000002
【特許請求の範囲】
【請求項１】
有底筒状のトラップ封水形成部を備えたトラップ本体と、トラップ封水形成部内に上方から挿入される筒状の封止筒と、トラップ本体におけるトラップ封水形成部の上縁からの溢水を排水管に流して排水させる排水部とを有し、封止筒から排水部に至る排水経路に位置するトラップ封水形成部のトラップ封水によって封止筒と排水部とを封止するようにした排水トラップにおいて、一端部の開口が封止筒の内部に位置すると共に他端部の開口が封止筒の外部で且つトラップ封水形成部よりも上方位置に位置する排気路を設け、この排気路の一端部と他端部との間に排気路封水が形成される排気路封水形成部を設けたことを特徴とする排水トラップ。
【請求項２】
トラップ本体に、封止筒以外の排水箇所からの排水をトラップ封水形成部に流入させる排水流入部を設けたことを特徴とする請求項１記載の排水トラップ。
【請求項３】
排気路は略Ｕ字のパイプ材で構成され、このパイプ材をトラップ封水形成部の底部に支持させて配設したことを特徴とする請求項１記載の排水トラップ。
【発明の詳細な説明】
【技術分野】
【０００１】
本発明は、排水トラップに関するものである。
【背景技術】
【０００２】
従来から、有底筒状のトラップ封水形成部を備えたトラップ本体と、トラップ封水形成部内に上方から挿入した筒状の封止筒と、トラップ本体におけるトラップ封水形成部の上縁からの溢水を排水管に流して排水させる排水部とを有し、封止筒から排水部に至る排水経路に位置するトラップ封水形成部のトラップ封水によって封止筒と排水部とを封止するようにした排水トラップが知られている。
【０００３】
このような排水トラップでは、排水トラップ内に大量の排水が一気に流れ込んだ際には、排水部側が負圧状態になる誘導サイホン現象が生じるものであり、この誘導サイホン現象によってトラップ封水の水位が該封止筒の下端開口位置よりも低下してしまうと、封止筒と排水部との間の封水が切れて「ごぼごぼ」という不快な音鳴りを生じさせるという問題があった。
【０００４】
この音鳴りを防止する為には、たとえば特許文献１のように、封止筒の側壁部におけるトラップ封水形成部よりも上方の個所に空気穴を穿設するとともに、該空気穴に封止筒の内部から外部（排水部側）への流れのみを許容する逆止弁を取付ける、といったことで対処することができる。
【０００５】
しかしながら、逆止弁は、屈曲変形可能な弾性体が誘導サイホン現象時の封止筒の内部とトラップ本体の外側との圧力差によってその弁穴を開く構造となっているが、封止筒に流入する排水には髪の毛等のゴミが混入するものであって、このゴミが逆止弁の弁穴に引っ掛かるように付着すると、逆止弁が良好に動作しないばかりか、常時開弁した状態、すなわち排水部と封止筒の内部とがトラップ封水を介さずに短絡した状態になってしまい、排水管の臭気が浴室内に侵入してしまう、という問題があった。
【特許文献１】特開２００６−９００９４号公報
【発明の開示】
【発明が解決しようとする課題】
【０００６】
本発明は上記の点に鑑みてなされたものであり、その目的とするところは、大量の排水を一気に流し込んだ際にも不快音の発生を防止できると共に、ゴミの付着等の悪条件下でも排水部と封止筒の内部との封水機能を維持できる排水トラップを提供することを課題とするものである。
【課題を解決するための手段】
【０００７】
上記課題を解決するために請求項１に係る排水トラップにあっては、有底筒状のトラップ封水形成部２を備えたトラップ本体１と、トラップ封水形成部２内に上方から挿入される筒状の封止筒３と、トラップ本体１におけるトラップ封水形成部２の上縁からの溢水を排水管５に流して排水させる排水部４とを有し、封止筒３から排水部４に至る排水経路に位置するトラップ封水形成部２のトラップ封水Ａによって封止筒３と排水部４とを封止するようにした排水トラップにおいて、一端部の開口６ａが封止筒３の内部に位置すると共に他端部の開口６ｂが封止筒３の外部で且つトラップ封水形成部２よりも上方位置に位置する排気路６を設け、この排気路６の一端部と他端部との間に排気路封水Ｂが形成される排気路封水形成部７を設けたことを特徴とする。
【０００８】
これによると、排水トラップに大量の排水が一気に流れ込んで排水部４側が負圧状態になる誘導サイホン現象が生じた場合には、排気路封水形成部７にある排気路封水Ｂが排水部４側に吸引排水された後に排気路６を介して封止筒３の内部の空気を排水部４側に吸引させることができ、つまり排水部４側の負圧を緩和することができて、排水トラップにおけるトラップ封水Ａの封水切れを生じさせずに、封水切れの際の不快音の発生を防止できる。また、排気路６は内部にゴミなどが付着しても通常時では排気路封水形成部７に排気路封水Ｂが形成され、この排気路封水Ｂによって排気路６が封止されて排水部４側から封止筒３側に悪臭が漏れないようにできる。すなわち、大量の排水を一気に流し込む場合であっても不快音の発生を防止でき、ゴミの付着等の悪条件下でも排水部４と封止筒３との間の封水機能を維持できるのである。
【０００９】
また、トラップ本体１に、封止筒３以外の排水箇所からの排水をトラップ封水形成部２に流入させる排水流入部８を設けたことも好ましい。
【００１０】
また、排気路６は略Ｕ字のパイプ材１６で構成され、このパイプ材１６をトラップ封水形成部２の底部に支持させて配設したことも好ましい。これによると、排気路６をトラップ本体１と別体物である略Ｕ字のパイプ材１６で構成してこれをトラップ本体１の底部に支持させることで、排気路６をトラップ本体１に一体に設けることができるから、排気路６付きの排水トラップの良好な製造性を確保できる。
【発明の効果】
【００１１】
本発明にあっては、浴槽等から大量の排水を一気に流し込む場合であっても不快音の発生を防止できると共に、排水管と封止筒の内部との封水機能を維持できる、という利点を有する。
【発明を実施するための最良の形態】
【００１２】
以下、本発明を添付図面に示す実施形態に基いて説明する。
【００１３】
本例の排水トラップは、図１のように、有底筒状のトラップ封水形成部２を備えたトラップ本体１と、トラップ封水形成部２内に上方から挿入される筒状の封止筒３と、トラップ本体１におけるトラップ封水形成部２の上縁からの溢水を排水管５に流して排水させる排水部４とを有している。また、トラップ本体１には、封止筒３以外の排水箇所からの排水をトラップ封水形成部２に流入させる排水流入部８が設けられている。そして、浴槽等から大量の排水を一気に流し込んだ際にも不快音の発生を防止できると共に、排水管５と封止筒３の内部との封水機能を維持させるための排気路６が設けられている。
【００１４】
この排水トラップは、たとえば浴室の洗い場を形成する床パン５０に開口させてある排水口５１の下方に設置されるものであり、この場合、封止筒３はその上端開口３ａが上記排水口５１に連通し、排水流入部８は洗い場に隣接して設置した浴槽の排水口から至る排水枝管５２に連通し、排水部４は接続された排水管５に連通されるのであり、排水口５１から封止筒３を介して流れ落ちる洗い場排水ａと、浴槽の排水口から排水流入部８を経て流れ込む浴槽排水ｂとを、トラップ本体１のトラップ封水形成部２で合流させた上でトラップ封水形成部２から溢れさせて、この溢水を排水部４を介して洗い場の床パン５０の下方に配設した排水管５に排水する構造になる。
【００１５】
詳しくは、本例のトラップ本体１は、トラップ封水形成部２の周縁に亙って上記溢水を受け集めて排水管５に流す排水部４が形成されており、この排水部４を形成させるべくトラップ封水形成部２の上半部及びその上方を覆うような外殻壁１０を備えている。外殻壁１０の上面部には内周が雌ネジ部１１ａとなる上方開口１１が穿設されている。
【００１６】
なお、図中の符号９は、床パン５０の排水口５１に上方から嵌め込んでトラップ本体１や後述の封止筒３を取付ける為の取付部材である。上記取付部材９は、外周に雄ネジ部１３ａを形成した筒部１３の上端縁から水平方向且つ外方に向けて上フランジ部１２を延設し、筒部１３の下端縁から水平方向且つ内方に向けて下フランジ部１４を延設して形成されている。
【００１７】
取付部材９を排水口５１に上方から挿入し、上フランジ部１２を床パン５０上面の排水口５１の上縁部分に載置し、筒部１３の雄ネジ部１３ａにトラップ本体１の雌ネジ部１１ａを螺合させて近接させることで、取付部材９にトラップ本体１が取り付けられると共に、排水口５１の周縁部分が上フランジ部１２の下面とトラップ本体１の上方開口１１の上縁面とで挟持され、トラップ本体１が取付部材９を介して床パン５０に取り付けられる。また、封止筒３は上下に貫通する筒状部材であって、その上端縁から水平方向且つ外方に向けてフランジ部１５を延設させているが、このフランジ部１５を取付部材９の下フランジ部１４の上面に載置させることで、取付部材９に封止筒３が吊下支持される。
【００１８】
取付部材９にトラップ本体１と封止筒３とを取付けた状態では、封止筒３はその上端開口３ａを排水口５１と連結させた状態でトラップ本体１のトラップ封水形成部２内に隙間を介して保持される。つまり、封止筒３の下端開口３ｂはトラップ封水形成部２の内底面と、封止筒３の外側面はトラップ封水形成部２の内側面と、それぞれ隙間を隔てて位置される。トラップ封水形成部２の内側面には排水流入部８が開口しており、トラップ封水形成部２を介して封止筒３や排水流入部８から排水部４に至る排水経路が形成されている。なお、図中２２はヘアーキャッチャーであり、また、図中２１はパッキンである。
【００１９】
ここで、上記排気路６は、封止筒３の内部に位置させる一端部の開口６ａと、封止筒３の外部で且つトラップ封水形成部２よりも上方位置に位置する他端部の開口６ｂとが、排気路封水Ｂを形成させる排気路封水形成部７を介して連通して成る経路であり、封止筒３から排水部４に至る排水経路に沿って配設されるのであるが、上記排水経路とは独立した別の経路である。
【００２０】
具体的に、排気路６は略Ｕ字のパイプ材１６で構成され、このパイプ材１６をトラップ本体１の底部に支持させて配設してある。このように排気路６をトラップ本体１と別体物である略Ｕ字のパイプ材１６で構成してこれをトラップ本体１の底部に支持させることで、排気路６をトラップ本体１に一体に設けさせており、排気路６付きの排水トラップの良好な製造性を確保している。詳しくは、上記略Ｕ字のパイプ材１６は、第１縦管部１７と、第２縦管部１８と、第１縦管部１７及び第２縦管部１８の下端同士を連結する連結管部１９と、第２縦管部１８の上端から横方向に屈曲する屈曲管部２０とを有している。
【００２１】
第１縦管部１７は封止筒３の内部に配置され、第１縦管部１７の上方開口が排気路６の上記一端部の開口６ａを構成している。本例では上記一端部の開口６ａはトラップ封水形成部２の上端位置よりも上位置に位置されている。第２縦管部１８は封止筒３の外側面とトラップ封水形成部２の内側面との隙間に配置され、この第２縦管部１８に連続する屈曲管部２０の側方開口が上記排気路６の他端部の開口６ｂを構成している。本例ではこの他端部の開口６ｂはトラップ封水形成部２よりも上方位置で且つ排水管５に向くようにされている。連結管部１９は封止筒３の下端開口３ｂとトラップ封水形成部２の内底面との隙間を通すようにトラップ封水形成部２の底部に沿って配置されて、該底部に支持されている。この略Ｕ字のパイプ材１６の下部を構成してトラップ封水形成部２の底部に配置される連結管部１９は、上記排気路封水形成部７を構成している。なお、本例では連結管部１９はトラップ封水形成部２の底部に接着剤で固定されているが、たとえばトラップ封水形成部２の底部に係合部を形成して連結管部１９を該係合部に嵌合して着脱自在に固定したり、封止筒３の下端とトラップ封水形成部２の内底面とで連結管部１９を挟持して固定してもよい。これによるとパイプ材１６をトラップ本体１から外して掃除をすることができる。
【００２２】
この排気路６は、封止筒３の内部に位置する一端部の開口６ａが上方を向いた状態で封止筒３から排水部４に至る排水経路に沿って配設されたものであり、したがって、通常時では洗い場排水ａが一端部の開口６ａから排気路６の内部に流入し、排気路封水形成部７に排気路封水Ｂが形成される。なお、封止筒３の内部に流入する洗い場排水ａにはヘアーキャッチャー２２で捕らえきれなかった髪の毛等のゴミが含まれる場合もあり、このゴミが排気路６の内部に入って付着することもあるが、排気路封水Ｂの形成を不可能にするものではなく、この悪条件下でも排気路封水形成部７には排気路封水Ｂが形成されるのであり、排気路封水Ｂによって排気路６が封止されて排水部４側から封止筒３側に悪臭が漏れないようにできる。また、封止筒３や排水流入部８から排水トラップに大量の排水が一気に流れ込んで排水部４側が負圧状態になる誘導サイホン現象が生じた場合には、排気路封水形成部７にある排気路封水Ｂが排水部４側に吸引排水された後に排気路６を介して封止筒３の内部の空気を排水部４側に吸引させることができ、つまり排水部４側の負圧を緩和することができて、排水トラップにおけるトラップ封水Ａの封水切れを生じさせずに、封水切れの際の不快音の発生を防止できる。
【００２３】
すなわち、排水トラップに上記排気路６を設けたことにより、ゴミの付着等の悪条件下でも排水部４と封止筒３の内部との封水機能を維持しつつ、大量の排水を一気に流し込んだ際にも不快音の発生を防止できるのである。
【図面の簡単な説明】
【００２４】
【図１】本発明の実施の形態の例の排水トラップの側断面図である。
【符号の説明】
【００２５】
１  トラップ本体
２  トラップ封水形成部
３  封止筒
４  排水部
５  排水管
６  排気路
６ａ  一端部の開口
６ｂ  他端部の開口
７  排気路封水形成部
８  排水流入部
１６  パイプ材
【図１】
2008156949.tif 000003